(57)【要約】【課題】正面側と背面側とで左右反転した画像をスクリーン上に呈示することができるプロジェクタを提供する。【解決手段】このプロジェクタ１は、光源２と、投写光学系３と、画像生成光学系４とを備えている。画像生成光学系４は、光変調素子４１を備えている。画像生成光学系４は、光源２からの光束を光変調素子４１に照射することで第１画像を生成するとともに、第１画像とは左右が反転した第２画像も生成する。さらに、画像生成光学系４は、第１画像を形成する光束を、第１偏光成分からなるものとし、さらに、第２画像を形成する光束を、第１偏光成分と直交する第２偏光成分からなるものとする。投写光学系３は、第１画像を形成する光束と、第２画像を形成する光束とを外部に出射する。【選択図】図２
2008309881.tif 000002
【特許請求の範囲】
【請求項１】
光源と、投写光学系と、画像生成光学系とを備えており、
前記画像生成光学系は、前記光源からの光束を用いて第１画像と、前記第１画像とは左右が反転した第２画像とをそれぞれ生成する構成となっており、
さらに、前記画像生成光学系は、前記第１画像を形成する光束を、第１偏光成分からなるものとし、さらに、前記第２画像を形成する光束を、前記第１偏光成分と直交する第２偏光成分からなるものとする構成となっており、
前記投写光学系は、前記第１画像を形成する光束と、前記第２画像を形成する光束とを外部に出射する構成となっている
ことを特徴とするプロジェクタ。
【請求項２】
さらに、画像合成光学系を備えており、
前記画像合成光学系は、前記第１画像を形成する光束と、前記第２画像を形成する光束とを合成して、前記投写光学系に送る構成となっており、
前記投写光学系は、前記画像合成光学系により合成された光束を外部に出射する構成となっている
ことを特徴とする請求項１に記載のプロジェクタ。
【請求項３】
前記画像生成光学系は、光変調素子と、偏光制御光学系と、画像反転光学系とを備えており、
前記光変調素子は、前記第１偏光成分からなる光束により前記第１画像を形成する構成となっており、
前記偏光制御光学系は、前記第１画像を構成する光束を分岐させて、第１光束と第２光束とを生成する構成となっており、
さらに、前記偏光制御光学系は、前記第１光束を、そのままの偏光状態において、前記画像合成光学系に送る構成となっており、
さらに、前記偏光制御光学系は、前記第２光束を、前記第２偏光成分からなるものに変化させて、前記画像合成光学系に送る構成となっており、
前記画像反転光学系は、前記光変調素子から前記画像合成光学系までの間において、前記第１光束又は前記第２光束からなる画像を左右反転させることにより、前記第２画像を形成する構成となっている
ことを特徴とする請求項２に記載のプロジェクタ。
【請求項４】
前記光変調素子は液晶素子であり、
前記偏光制御光学系は、ビームスプリッタと、偏光制御用の偏光ビームスプリッタと、１／４波長板とを備えており、
前記ビームスプリッタは、前記液晶素子からの光束を二つに分岐させることにより、前記第１光束と前記第２光束とを生成する構成となっており、
前記偏光制御用の偏光ビームスプリッタは、前記第２光束を反射させて前記画像反転光学系に送り、さらに、前記画像反転光学系で反射された光束を透過させて前記画像合成光学系に送る構成となっており、
前記１／４波長板は、前記偏光制御用の偏光ビームスプリッタから前記画像反転光学系までの光路の途中に配置されており、これによって、前記画像反転光学系で反射されて前記偏光制御用の偏光ビームスプリッタに送られる前記第２光束を、前記第２偏光成分からなるものに変化させる構成となっており、
前記画像反転光学系は、ミラーを備えており、
前記ミラーは、前記偏光制御用の偏光ビームスプリッタで反射された前記第２光束を、前記偏光ビームスプリッタに向けて鏡面反射することにより、左右が反転した画像を生成する構成となっており、
前記画像合成光学系は、画像合成用の偏光ビームスプリッタを備えており、
前記画像合成用の偏光ビームスプリッタは、前記画像合成光学系に送られた前記第１光束を反射し、前記第２光束を透過させることによって、両者を合成して、前記投写光学系に送る構成となっている
ことを特徴とする請求項３に記載のプロジェクタ。
【請求項５】
前記画像生成光学系は、光変調素子と、偏光制御光学系と、画像反転光学系とを備えており、
前記光変調素子は、前記第１偏光成分及び前記第２偏光成分を有する光束により前記第１画像を形成する構成となっており、
前記偏光制御光学系は、前記第１画像を構成する光束を分岐させることにより、前記第１偏光成分及び前記第２偏光成分の一方からなる第１光束と、前記第１偏光成分及び第２偏光成分の他方からなる第２光束とを生成する構成となっており、
さらに、前記偏光制御光学系は、前記のようにして生成された前記第１光束を、前記画像合成光学系に送る構成となっており、
さらに、前記偏光制御光学系は、前記のようにして生成された前記第２光束を、前記画像合成光学系に送る構成となっており、
前記画像反転光学系は、前記第１光束からなる画像又は第２光束からなる画像を左右反転させることにより、前記第２画像を形成する構成となっている
ことを特徴とする請求項２に記載のプロジェクタ。
【請求項６】
前記光変調素子はＤＭＤ素子であり、
前記偏光制御光学系は、光束分岐用の偏光ビームスプリッタと、１／２波長板と、偏光制御用の偏光ビームスプリッタと、１／４波長板とを備えており、
前記光束分岐用の偏光ビームスプリッタは、前記ＤＭＤ素子からの光束を、偏光成分に対応して二つに分岐させることにより、前記第２の偏光成分からなる前記第１光束と前記第１の偏光成分からなる前記第２光束とを生成する構成となっており、
前記１／２波長板は、前記第１光束の偏光状態を変化させることにより、前記第１光束を、前記第１の偏光成分からなるものに変化させる構成となっており、
前記偏光制御用の偏光ビームスプリッタは、前記第２光束を反射させて前記画像反転光学系に送り、さらに、前記画像反転光学系で反射された光束を透過させて前記画像合成光学系に送る構成となっており、
前記１／４波長板は、前記偏光制御用の偏光ビームスプリッタから前記画像反転光学系までの間に配置されており、これによって、前記画像反転光学系で反射されて前記偏光制御用の偏光ビームスプリッタに送られる前記第２光束を、前記第２偏光成分からなるものに変化させる構成となっており、
前記画像反転光学系は、ミラーを備えており、
前記ミラーは、前記偏光制御用の偏光ビームスプリッタで反射された前記第２光束を、前記偏光ビームスプリッタに向けて鏡面反射することにより、左右が反転した画像を生成する構成となっており、
前記画像合成光学系は、画像合成用の偏光ビームスプリッタを備えており、
前記画像合成用の偏光ビームスプリッタは、前記画像合成光学系に送られた前記第１光束を反射し、前記第２光束を透過させることによって、両者を合成して、前記投写光学系に送る構成となっている
ことを特徴とする請求項５に記載のプロジェクタ。
【請求項７】
前記画像生成光学系は、カラーホイールと、光変調素子とを備えており、
前記カラーホイールは、前記光源から前記光変調素子への光路の途中に配置されており、
かつ、前記カラーホイールは、少なくともＲＧＢの３色に対応した第１偏光生成部と、少なくともＲＧＢの３色に対応した第２偏光生成部とを備えており、これによって、前記カラーホイールを回転させることにより、前記光源からの光束を、第１偏光成分からなる光束と、第２偏光成分からなる光束とに分離できる構成となっており、
前記光変調素子は、前記カラーホイールの回転に同期して画像を生成することにより、第１画像を第１偏光成分により形成し、第２画像を第２偏光成分により形成する構成となっている
請求項１に記載のプロジェクタ。
【請求項８】
前記画像生成光学系は、第１光変調素子と、第２光変調素子とを備えており、
前記第１光変調素子は、第１偏光成分を有する光束により第１画像を生成する構成となっており、
前記第２光変調素子は、第２偏光成分を有する光束により、前期第１画像とは左右が反転した第２画像を生成する構成となっており、
前記画像合成光学系は、前記第１光変調素子からの光束と、前記第２光変調素子からの光束とを合成して、前記投写光学系に送る構成となっている、
請求項２に記載のプロジェクタ。
【請求項９】
請求項１〜８に記載のプロジェクタと、投影用スクリーンとを備え、
前記投影用スクリーンは、第１偏光成分を反射することにより、この第１偏光成分で構成された第１画像を一面側に表示し、
さらに、前記投影用スクリーンは、第２偏光成分を透過させることにより、この第２偏光成分からなる第２画像を他面側に表示する構成となっている
投影システム。
【発明の詳細な説明】
【技術分野】
【０００１】
本発明は、光学像を投射するためのプロジェクタに関するものである。特に、本発明は、スクリーンの正面及び背面における画像呈示を行うためのプロジェクタに関するものである。
【背景技術】
【０００２】
一般に、プロジェクタは、光源から送られた光束を光変調素子で変調して光学像を形成し、この光学像を、投写光学系によりスクリーンに投写する構成となっている。スクリーンに投写された光束は、スクリーンの表面によって拡散して反射される。これにより、スクリーンの正面側（プロジェクタの側）において、画像を呈示することができる。
【０００３】
一方、スクリーンの両面において画像を呈示するためには、例えば、スクリーンを半透明とすることが考えられる。このスクリーンでは、スクリーンに光束を投写することにより、反射光と透過光とを生成することができる。したがって、このスクリーンでは、反射光による正面側画像と、透過光による背面側画像とを呈示することができる。
【０００４】
しかしながら、このような半透明スクリーンを用いた場合には、背面側画像と正面側画像とが左右反転してしまうという不都合がある。
【０００５】
従来のプロジェクタとしては、下記特許文献１に記載のものも存在する。このプロジェクタでは、右回り円偏光と左回り円偏光とで、それぞれ別の画像を生成して、スクリーンに投写する。一方の偏光で生成した画像を正面側に、他方の偏光で生成した画像を背面側に呈示することができる（例えば特許文献１の００３４〜００４３段落、０１１５段落及び図７）。
【０００６】
しかしながら、このプロジェクタは、正面側と背面側とで左右反転した画像をスクリーン上に呈示するものではない。
【特許文献１】特開２００６−２２７５８１号公報
【発明の開示】
【発明が解決しようとする課題】
【０００７】
本発明に係るプロジェクタは、正面側と背面側とで左右反転した画像をスクリーン上に呈示することができるプロジェクタを提供しようとするものである。
【課題を解決するための手段】
【０００８】
本発明は、以下の項目のように表現することができる。
【０００９】
（項目１）
光源と、投写光学系と、画像生成光学系とを備えており、
前記画像生成光学系は、前記光源からの光束を用いて第１画像と、前記第１画像とは左右が反転した第２画像とをそれぞれ生成する構成となっており、
さらに、前記画像生成光学系は、前記第１画像を形成する光束を、第１偏光成分からなるものとし、さらに、前記第２画像を形成する光束を、前記第１偏光成分と直交する第２偏光成分からなるものとする構成となっており、
前記投写光学系は、前記第１画像を形成する光束と、前記第２画像を形成する光束とを外部に出射する構成となっている
ことを特徴とするプロジェクタ。
【００１０】
（項目２）
さらに、画像合成光学系を備えており、
前記画像合成光学系は、前記第１画像を形成する光束と、前記第２画像を形成する光束とを合成して、前記投写光学系に送る構成となっており、
前記投写光学系は、前記画像合成光学系により合成された光束を外部に出射する構成となっている
ことを特徴とする項目１に記載のプロジェクタ。
【００１１】
（項目３）
前記画像生成光学系は、光変調素子と、偏光制御光学系と、画像反転光学系とを備えており、
前記光変調素子は、前記第１偏光成分からなる光束により前記第１画像を形成する構成となっており、
前記偏光制御光学系は、前記第１画像を構成する光束を分岐させて、第１光束と第２光束とを生成する構成となっており、
さらに、前記偏光制御光学系は、前記第１光束を、そのままの偏光状態において、前記画像合成光学系に送る構成となっており、
さらに、前記偏光制御光学系は、前記第２光束を、前記第２偏光成分からなるものに変化させて、前記画像合成光学系に送る構成となっており、
前記画像反転光学系は、前記光変調素子から前記画像合成光学系までの間において、前記第１光束又は前記第２光束からなる画像を左右反転させることにより、前記第２画像を形成する構成となっている
ことを特徴とする項目２に記載のプロジェクタ。
【００１２】
（項目４）
前記光変調素子は液晶素子であり、
前記偏光制御光学系は、ビームスプリッタと、偏光制御用の偏光ビームスプリッタと、１／４波長板とを備えており、
前記ビームスプリッタは、前記液晶素子からの光束を二つに分岐させることにより、前記第１光束と前記第２光束とを生成する構成となっており、
前記偏光制御用の偏光ビームスプリッタは、前記第２光束を反射させて前記画像反転光学系に送り、さらに、前記画像反転光学系で反射された光束を透過させて前記画像合成光学系に送る構成となっており、
前記１／４波長板は、前記偏光制御用の偏光ビームスプリッタから前記画像反転光学系までの光路の途中に配置されており、これによって、前記画像反転光学系で反射されて前記偏光制御用の偏光ビームスプリッタに送られる前記第２光束を、前記第２偏光成分からなるものに変化させる構成となっており、
前記画像反転光学系は、ミラーを備えており、
前記ミラーは、前記偏光制御用の偏光ビームスプリッタで反射された前記第２光束を、前記偏光ビームスプリッタに向けて鏡面反射することにより、左右が反転した画像を生成する構成となっており、
前記画像合成光学系は、画像合成用の偏光ビームスプリッタを備えており、
前記画像合成用の偏光ビームスプリッタは、前記画像合成光学系に送られた前記第１光束を反射し、前記第２光束を透過させることによって、両者を合成して、前記投写光学系に送る構成となっている
ことを特徴とする項目３に記載のプロジェクタ。
【００１３】
（項目５）
前記画像生成光学系は、光変調素子と、偏光制御光学系と、画像反転光学系とを備えており、
前記光変調素子は、前記第１偏光成分及び前記第２偏光成分を有する光束により前記第１画像を形成する構成となっており、
前記偏光制御光学系は、前記第１画像を構成する光束を分岐させることにより、前記第１偏光成分及び前記第２偏光成分の一方からなる第１光束と、前記第１偏光成分及び第２偏光成分の他方からなる第２光束とを生成する構成となっており、
さらに、前記偏光制御光学系は、前記のようにして生成された前記第１光束を、前記画像合成光学系に送る構成となっており、
さらに、前記偏光制御光学系は、前記のようにして生成された前記第２光束を、前記画像合成光学系に送る構成となっており、
前記画像反転光学系は、前記第１光束からなる画像又は第２光束からなる画像を左右反転させることにより、前記第２画像を形成する構成となっている
ことを特徴とする項目２に記載のプロジェクタ。
【００１４】
（項目６）
前記光変調素子はＤＭＤ素子であり、
前記偏光制御光学系は、光束分岐用の偏光ビームスプリッタと、１／２波長板と、偏光制御用の偏光ビームスプリッタと、１／４波長板とを備えており、
前記光束分岐用の偏光ビームスプリッタは、前記ＤＭＤ素子からの光束を、偏光成分に対応して二つに分岐させることにより、前記第２の偏光成分からなる前記第１光束と前記第１の偏光成分からなる前記第２光束とを生成する構成となっており、
前記１／２波長板は、前記第１光束の偏光状態を変化させることにより、前記第１光束を、前記第１の偏光成分からなるものに変化させる構成となっており、
前記偏光制御用の偏光ビームスプリッタは、前記第２光束を反射させて前記画像反転光学系に送り、さらに、前記画像反転光学系で反射された光束を透過させて前記画像合成光学系に送る構成となっており、
前記１／４波長板は、前記偏光制御用の偏光ビームスプリッタから前記画像反転光学系までの間に配置されており、これによって、前記画像反転光学系で反射されて前記偏光制御用の偏光ビームスプリッタに送られる前記第２光束を、前記第２偏光成分からなるものに変化させる構成となっており、
前記画像反転光学系は、ミラーを備えており、
前記ミラーは、前記偏光制御用の偏光ビームスプリッタで反射された前記第２光束を、前記偏光ビームスプリッタに向けて鏡面反射することにより、左右が反転した画像を生成する構成となっており、
前記画像合成光学系は、画像合成用の偏光ビームスプリッタを備えており、
前記画像合成用の偏光ビームスプリッタは、前記画像合成光学系に送られた前記第１光束を反射し、前記第２光束を透過させることによって、両者を合成して、前記投写光学系に送る構成となっている
ことを特徴とする項目５に記載のプロジェクタ。
【００１５】
（項目７）
前記画像生成光学系は、カラーホイールと、光変調素子とを備えており、
前記カラーホイールは、前記光源から前記光変調素子への光路の途中に配置されており、
かつ、前記カラーホイールは、少なくともＲＧＢの３色に対応した第１偏光生成部と、少なくともＲＧＢの３色に対応した第２偏光生成部とを備えており、これによって、前記カラーホイールを回転させることにより、前記光源からの光束を、第１偏光成分からなる光束と、第２偏光成分からなる光束とに分離できる構成となっており、
前記光変調素子は、前記カラーホイールの回転に同期して画像を生成することにより、第１画像を第１偏光成分により形成し、第２画像を第２偏光成分により形成する構成となっている
項目１に記載のプロジェクタ。
【００１６】
（項目８）
前記画像生成光学系は、第１光変調素子と、第２光変調素子とを備えており、
前記第１光変調素子は、第１偏光成分を有する光束により第１画像を生成する構成となっており、
前記第２光変調素子は、第２偏光成分を有する光束により、前期第１画像とは左右が反転した第２画像を生成する構成となっており、
前記画像合成光学系は、前記第１光変調素子からの光束と、前記第２光変調素子からの光束とを合成して、前記投写光学系に送る構成となっている、
項目２に記載のプロジェクタ。
【００１７】
（項目９）
項目１〜８に記載のプロジェクタと、投影用スクリーンとを備え、
前記投影用スクリーンは、第１偏光成分を反射することにより、この第１偏光成分で構成された第１画像を一面側に表示し、
さらに、前記投影用スクリーンは、第２偏光成分を透過させることにより、この第２偏光成分からなる第２画像を他面側に表示する構成となっている
投影システム。
【発明の効果】
【００１８】
本発明によれば、正面側と背面側とで左右反転した画像をスクリーン上に呈示することができるプロジェクタを提供することが可能になる。
【発明を実施するための最良の形態】
【００１９】
（第１本実施形態の構成）
本発明の第１実施形態に係るプロジェクタの構成を、図１及び図２に基づいて説明する。
【００２０】
このプロジェクタ１は、スクリーン１００（後述）に向けて光学像を投影するものである。
【００２１】
本実施形態に係るプロジェクタ１は、光源２と、投写光学系３と、画像生成光学系４とを、主要な要素として備えている。
【００２２】
画像生成光学系４は、光源２からの光束を用いて、第１画像と、この第１画像とは左右が反転した第２画像とをそれぞれ生成する構成となっている。
【００２３】
さらに、画像生成光学系４は、第１画像を形成する光束を、第１偏光成分（例えばＳ波）からなるものとし、さらに、第２画像を形成する光束を、第１偏光成分と直交する第２偏光成分（例えばＰ波）からなるものとする構成となっている。
【００２４】
投写光学系３は、第１画像を形成する光束と、前記第２画像を形成する光束とを外部に出射する構成となっている。
【００２５】
より具体的には、本実施形態のプロジェクタ１は、さらに、画像合成光学系５を備えている。画像合成光学系５は、第１画像を形成する光束と、第２画像を形成する光束とを合成して、投写光学系３に送る構成となっている。
【００２６】
このため、本実施形態の投写光学系３は、画像合成光学系５により合成された光束を外部に出射する構成となっている。
【００２７】
本実施形態の画像生成光学系４は、光変調素子４１と、偏光制御光学系４２と、画像反転光学系４３とを備えている。
【００２８】
光変調素子４１は、第１偏光成分（例えばＳ波）からなる光束により第１画像を形成する構成となっている。
【００２９】
偏光制御光学系４２は、第１画像を構成する光束を分岐させて、第１光束と第２光束とを生成する構成となっている。さらに、偏光制御光学系４２は、第１光束を、そのままの偏光状態において、画像合成光学系に送る構成となっている。さらに、偏光制御光学系４２は、第２光束を、第２偏光成分（例えばＰ波）からなるものに変化させて、画像合成光学系５に送る構成となっている。
【００３０】
画像反転光学系４３は、光変調素子４１から画像合成光学系５までの間において、第１光束又は第２光束からなる画像を左右反転させることにより、第２画像を形成する構成となっている。
【００３１】
また、本実施形態のプロジェクタは、通常のプロジェクタと同様に、映像信号入力手段６、画像処理回路７、光変調素子ドライブ回路８、光源制御回路９、照明光学系１０、ＣＰＵ１１、制御パネル１２をさらに備えている。これらの要素については、基本的に、従来のプロジェクタと同様の構成を用いることができるので、詳しい説明は省略する。なお、以下の説明においては、一つの光変調素子を用いているが、例えばカラーの画像を表示する場合は、ＲＧＢの三色に対応する三つの光変調素子を用いることもできる。そのようなカラー表示用の照明光学系や液晶表示素子の構成は良く知られているので説明を省略する。
【００３２】
（実施例１）
以下、前記した実施形態におけるプロジェクタに用いる具体的な光学系の実施例を、図３を参照しながら説明する。
【００３３】
この実施例１では、光変調素子４１として、液晶素子が用いられている。この液晶素子４１は、Ｓ波を透過させるものである。したがって、液晶素子４１は、Ｓ波によって画像を形成するものである。
【００３４】
偏光制御光学系４２は、ビームスプリッタ（ＢＳ）４２１と、偏光制御用の偏光ビームスプリッタ（ＰＢＳ）４２２と、１／４波長板４２３とを備えている。
【００３５】
ビームスプリッタ４２１は、液晶素子である光変調素子４１からの光束を二つに分岐させることにより、第１光束と第２光束とを生成する構成となっている。このようなビームスプリッタ自体は市販されているので、詳しい構成の説明は省略する。
【００３６】
偏光制御用の偏光ビームスプリッタ４２２は、第２光束を反射させて画像反転光学系４３に送るように構成されている。さらに、偏光ビームスプリッタ４２２は、画像反転光学系４３で反射された光束（この光束は偏光が変化させられてＰ波となっている）を透過させて画像合成光学系５に送る構成となっている。
【００３７】
１／４波長板４２３は、偏光制御用の偏光ビームスプリッタ４２２から画像反転光学系４３までの光路の途中に配置されている。１／４波長板４２３は、画像反転光学系４３で反射されて偏光制御用の偏光ビームスプリッタに送られる第２光束を、第２偏光成分（Ｐ波）からなるものに変化させる構成となっている。
【００３８】
画像反転光学系４３は、ミラー４３１により構成されている。ミラー４３１は、偏光制御用の偏光ビームスプリッタ４２２で反射された第２光束を、偏光ビームスプリッタ４２２に向けて鏡面反射することにより、左右が反転した画像を生成する構成となっている。
【００３９】
画像合成光学系５は、画像合成用の偏光ビームスプリッタ５１と、ミラー５２とを備えている。
【００４０】
画像合成用の偏光ビームスプリッタ５１は、画像合成光学系５に送られた第１光束（Ｓ波）を反射し、第２光束（Ｐ波）を透過させることによって、両者を合成して、投写光学系３に送る構成となっている。
【００４１】
ミラー５２は、偏光ビームスプリッタ４２１を透過した第１光束を反射することにより、画像合成用の偏光ビームスプリッタ５１に送るための光路調整手段である。このような光路調整手段の具体的な設計は、必要に応じて適宜に行うことができる。
【００４２】
（実施例１の動作）
ついで、実施例１の構成を備えたプロジェクタ１の動作を説明する。このプロジェクタ１においても、通常のプロジェクタと同様に、制御パネル１２を操作し、光源２をオンとする。すると、照明光学系１０を介して、光変調素子４１に光束が照射される。一方、映像信号入力手段６に映像信号が入力されると、画像処理回路７は、映像信号に基づいて、光変調素子４１を駆動するための信号を生成して光変調素子ドライブ回路８に送る。光変調ドライブ回路８は、画像処理回路７からの駆動信号に従って光変調素子４１を駆動する。
【００４３】
照明光学系１０からの光束が、液晶素子である光変調素子４１に照射されると、光変調素子４１は、第１偏光成分（Ｓ波）により、第１画像を生成する。ここで、第１画像の偏光成分が決定されるのは、液晶の透過特性として、偏光の選択性があるためである。
【００４４】
光変調素子４１を透過した光束は、ビームスプリッタ４２１により、いずれもＳ波からなる第１光束と第２光束とに分岐させられる。第１光束は、そのままの偏光状態を維持したまま、ミラー５２により反射され、画像合成用の偏光ビームスプリッタ５１に送られる。
【００４５】
一方の第２光束は、偏光制御用の偏光ビームスプリッタ４２２によって反射されて、１／４波長板４２３を通過し、さらにミラー４３１によって反射される。この反射により、第２光束によって形成された第２画像は、第１画像とは左右が反転した状態になる。第２光束は、１／４波長板を再度通過する。これにより、第２光束の偏光は、Ｐ波に変化する。このため、第２光束は、偏光制御用の偏光ビームスプリッタ４２２を透過し、画像合成用の偏光ビームスプリッタ５１に送られる。
【００４６】
画像合成用の偏光ビームスプリッタ５１は、Ｓ波で構成された第１光束を反射し、Ｐ波で構成された第２光束を透過させる。これにより、偏光ビームスプリッタ５１は、第１光束と第２光束とを合波して、まとまった光束として、投写光学系３に送り出すことができる。
【００４７】
本実施形態のプロジェクタによれば、第１光束で形成された第１画像と第２光束で形成された第２画像とを、左右が反転した状態とすることができる。しかも、第１画像をＳ波の光束、第２画像をＰ波の光束により構成することができる。
【００４８】
前記のようにして合成された光束を投写光学系３からスクリーン１００（後述）に向けて投写することができる。スクリーン１００では、Ｓ波を反射させることで、その正面側において画像を呈示することができる。また、スクリーン１００では、Ｐ波を透過させることにより、その背面側においても同時に画像を呈示することができる。
【００４９】
ここで、本実施形態のプロジェクタ１によれば、正面側画像と背面側画像とを、左右反転の状態とすることができる。したがって、正面側画像を正面から見た場合と、背面側画像を背面から見た状態では、同じ画像を呈示することができるという利点がある。
【００５０】
（第２実施形態）
本発明の第２実施形態に係るプロジェクタを、図２及び図４に基づいて説明する。このプロジェクタの説明においては、前記した第１実施形態及び実施例１と基本的に共通する要素については、同じ符号を付すことにより、重複した説明を省略する。
【００５１】
この第２実施形態における光変調素子４１は、第１実施形態の場合と異なり、第１偏光成分（Ｓ波）及び第２偏光成分（Ｐ波）を有する光束により第１画像を形成する構成となっている（詳細な構成は後述）。
【００５２】
偏光制御光学系４２は、第１画像を構成する光束を分岐させることにより、第１偏光成分及び第２偏光成分の一方（例えばＰ波）からなる第１光束と、第１偏光成分及び第２偏光成分の他方（例えばＳ波）からなる第２光束とを生成する構成となっている。
【００５３】
さらに、偏光制御光学系４２は、前記のようにして生成された第１光束を、画像合成光学系５に送る構成となっている。
【００５４】
さらに、偏光制御光学系４２は、前記のようにして生成された第２光束についても、画像合成光学系５に送る構成となっている。
【００５５】
画像反転光学系４３は、第１光束からなる画像又は第２光束からなる画像を左右反転させることにより、第２画像を形成する構成となっている。
【００５６】
（実施例２）
以下、前記した第２実施形態におけるプロジェクタに用いる具体的な光学系の実施例を、図４を参照しながら説明する。
【００５７】
この実施例２においては、光変調素子４１として、ＤＭＤ素子が用いられている。
【００５８】
偏光制御光学系４１は、光束分岐用の偏光ビームスプリッタ４２４と、１／２波長板４２５と、偏光制御用の偏光ビームスプリッタ４２６と、１／４波長板４２７とを備えている。
【００５９】
光束分岐用の偏光ビームスプリッタ４２４は、ＤＭＤ素子である光変調素子４１からの光束を、偏光成分に対応して二つに分岐させる。これにより、第２の偏光成分（Ｐ波）からなる第１光束と第１の偏光成分（Ｓ波）からなる第２光束とを生成する構成となっている。
【００６０】
１／２波長板４２５は、第１光束の偏光状態を変化させることにより、第１光束を、第１の偏光成分（Ｓ波）からなるものに変化させる構成となっている。
【００６１】
偏光制御用の偏光ビームスプリッタ４２６は、第２光束を反射させて画像反転光学系４３に送り、さらに、画像反転光学系４３で反射された光束を透過させて画像合成光学系５に送る構成となっている。
【００６２】
１／４波長板４２７は、偏光制御用の偏光ビームスプリッタ４２６から画像反転光学系４３までの間に配置されており、これによって、画像反転光学系４３で反射されて偏光制御用の偏光ビームスプリッタ４２６に送られる第２光束を、第２偏光成分（Ｐ波）からなるものに変化させる構成となっている。
【００６３】
画像反転光学系４３は、実施例１と同様に、ミラー４３１を備えている。ミラー４３１は、偏光制御用の偏光ビームスプリッタ４２６で反射された第２光束を、偏光ビームスプリッタ４２６に向けて鏡面反射することにより、左右が反転した画像を生成する構成となっている。
【００６４】
画像合成光学系５は、画像合成用の偏光ビームスプリッタ５１とミラー５２とを備えている。
【００６５】
画像合成用の偏光ビームスプリッタ５１は、この偏光ビームスプリッタ５１に送られた第１光束を反射し、第２光束を透過させることによって、両者を合成して、投写光学系３に送る構成となっている。ミラー５２は、光束分岐用の偏光ビームスプリッタ４２４からの第１光束を１／２波長板４２５に送るようになっている。
【００６６】
（実施例２の動作）
ついで、実施例２の構成を備えたプロジェクタ１の動作を説明する。このプロジェクタ１においても、通常のプロジェクタと同様に、制御パネル１２を操作し、光源２をオンとする。すると、照明光学系１０を介して、光変調素子４１に光束が照射される。一方、映像信号入力手段６に映像信号が入力されると、画像処理回路７は、映像信号に基づいて、光変調素子４１を駆動するための信号を生成して光変調素子ドライブ回路８に送る。光変調ドライブ回路８は、画像処理回路７からの駆動信号に従って光変調素子４１を駆動する。
【００６７】
照明光学系１０からの光束が、ＤＭＤ素子である光変調素子４１に照射されると、光変調素子４１は、第１偏光成分（Ｓ波）と第２偏光成分（Ｐ波）とを含んだ光束により、第１画像を生成する。ここで、第１画像の偏光成分が特定されないのは、ＤＭＤ素子に、偏光の選択性がないためである。
【００６８】
光変調素子４１で変調された光束は、偏光ビームスプリッタ４２４により、Ｐ波からなる第１光束と、Ｓ波からなる第２光束とに分岐させられる。第１光束は、そのままの偏光状態を維持したまま、ミラー５２により反射される。続いて、第１光束は、１／２波長板により、その偏光状態を、Ｓ波に変化させられる。その後、第１光束は、画像合成用の偏光ビームスプリッタ５１に送られる。
【００６９】
一方の第２光束（Ｓ波）は、偏光ビームスプリッタ４２４によって反射されて、偏光制御用の偏光ビームスプリッタ４２６で反射する。さらに、第２光束は、１／４波長板４２７を通過し、さらにミラー４３１によって反射される。この反射により、第２光束によって形成された第２画像は、第１画像とは左右が反転した状態になる。第２光束は、１／４波長板４２７を再度通過する。これにより、第２光束の偏光は、Ｐ波に変化する。このため、第２光束は、偏光制御用の偏光ビームスプリッタ４２６を透過し、画像合成用の偏光ビームスプリッタ５１に送られる。
【００７０】
画像合成用の偏光ビームスプリッタ５１は、Ｓ波で構成された第１光束を反射し、Ｐ波で構成された第２光束を透過させる。これにより、偏光ビームスプリッタ５１は、第１光束と第２光束とを合波して、まとまった光束として、投写光学系３に送り出すことができる。
【００７１】
第２実施形態のプロジェクタによれば、第１実施形態と同様の利点を得ることができる。第２実施形態における他の構成及び利点は、第１実施形態と同様なので、説明を省略する。
【００７２】
なお、前記した実施例２では、ミラー５２の下流側に１／２波長板４２５を配置した。しかしながら、例えば、光束分岐用の偏光ビームスプリッタ４２４とミラー５２との間に１／２波長板４２５を配置することも当然可能である。
【００７３】
また、１／２波長板４２５を第１光束の光路に配置する代わりに、第２光束の光路に配置することも可能である。この場合は、画像合成用の偏光ビームスプリッタ５１に入射される第１光束はＰ波となり、第２光束はＳ波となる。このため、合波された光束の出射方向は、前記と異なり、図４において左方向となるが、原理的には、前記と同様の作用を発揮することができる。
【００７４】
（第３実施形態）
つぎに、本発明の第３実施形態に係るプロジェクタを、図５及び図６を参照しながら説明する。この実施形態に係るプロジェクタの説明においても、前記した実施形態におけるプロジェクタと基本的に共通する構成要素については、同一の符号を付すことにより、説明を簡略化する。
【００７５】
第３実施形態のプロジェクタにおける画像生成光学系４は、カラーホイール４４と、光変調素子４５とを備えている。
【００７６】
カラーホイール４４は、光源２から光変調素子４５への光路の途中に配置されている。さらに、カラーホイール４４は、ＲＧＢの３色に対応した第１偏光生成部４４１と、ＲＧＢの３色に対応した第２偏光生成部４４２とを備えている（図６参照）。これによって、このカラーホイール４４は、カラーホイール４４を回転させることにより、光源２からの光束を、第１偏光成分（この実施形態ではＳ波）からなる光束と、第２偏光成分（この実施形態ではＰ波）からなる光束とに分離できる構成となっている。
【００７７】
より詳しくは、第１偏光生成部４４１は、隣接して配置されたＲ光の生成部４４１Ｒと、Ｇ光の生成部４４１Ｇと、Ｂ光の生成部４４１Ｂとから構成されている（図６参照）。ＲＧＢの生成部４４１Ｒ、４４１Ｇ及び４４１Ｂは、対応する色を透過させるカラーフィルタにより構成することができる。また、これらＲＧＢの生成部４４１Ｒ、４４１Ｇ及び４４１Ｂは、第１偏光成分（この実施形態ではＳ波）のみを透過させるという、偏光子としての特性を有している。
【００７８】
同様に、第２偏光生成部４４２は、隣接して配置されたＲ光の生成部４４２Ｒと、Ｇ光の生成部４４２Ｇと、Ｂ光の生成部４４２Ｂとから構成されている。ＲＧＢの生成部４４２Ｒ、４４２Ｇ及び４４２Ｂは、第１偏光生成部４４１の場合と同様に、対応する色を透過させるカラーフィルタにより構成することができる。また、これらＲＧＢの生成部４４２Ｒ、４４２Ｇ及び４４２Ｂは、第２偏光成分（この実施形態ではＰ波）のみを透過させるという、偏光子としての特性を有している。
【００７９】
光変調素子４１は、カラーホイール４４の回転に同期して画像を生成することにより、第１画像を第１偏光成分（Ｓ波）により形成し、第２画像を第２偏光成分（Ｐ波）により形成する構成となっている。本実施形態の光変調素子４１としては、偏光依存性のない特性のものが好ましく、例えばＤＭＤ素子を用いることができる。
【００８０】
また、第３実施形態のプロジェクタ１は、カラーホイールドライブ回路１３（図５参照）をさらに有している。カラーホイールドライブ回路１３は、所定の回転数でカラーホイール４４を回転させ、あるいは停止させるものである。
【００８１】
また、第３実施形態のプロジェクタ１における照明光学系１０は、カラーホイール４４を透過した光束を集光して光変調素子４１に送るように構成されている。
【００８２】
（第３実施形態の動作）
つぎに、第３実施形態に係るプロジェクタ１の動作を説明する。まず、制御パネル１２により電源をＯＮとすると、光源制御回路９により光源２からカラーホイール４４に光束を送り出す。
【００８３】
一方、カラーホイールドライブ回路１３は、あらかじめ設定された所定の速度でカラーホイール４４を回転させる。
【００８４】
これにより、光源１からの光束は、カラーホイール４４の第１偏光生成部４４１と第２偏光生成部４４２とを順次通過することになる。これにより、本実施形態のプロジェクタ１では、第１偏光成分（Ｓ波）のみの光束と、第２偏光成分（Ｐ波）のみの光束とをＲＧＢの各色について、時分割で生成することができる。
【００８５】
また、光変調素子４１は、各偏光成分におけるＲＧＢの各色に応じて、画素ごとに光束を変調する。これにより、各偏光成分における各色の画像を時分割で生成し、投写光学系３に送ることができる。
【００８６】
これにより、第３実施形態のプロジェクタは、各偏光成分に応じた画像をスクリーン１００に投写することができる。
【００８７】
なお、この第３実施形態においては、カラーホイール４４を、ＲＧＢの３色に対応した第１偏光生成部４４１と、ＲＧＢの３色に対応した第２偏光生成部４４２とを備えたものとした。ただし、第１偏光生成部４４１及び第２偏光生成部４４２の両方あるいはいずれかは、ＲＧＢの３色に加えて、白色、あるいは、他の色を生成するための部分を含んでいてもよい。これは、各色に対応するカラーフィルタを用いることにより対応することができる。
【００８８】
（第４実施形態）
本発明の第４実施形態に係るプロジェクタを、図７及び図８に基づいて説明する。このプロジェクタの説明においては、前記した第１実施形態及び実施例１と基本的に共通する要素については、同じ符号を付すことにより、重複した説明を省略する。
【００８９】
第４実施形態の画像生成光学系４は、第１光変調素子４６と、第２光変調素子４７と、偏光制御光学系４８とを備えている。
【００９０】
第１光変調素子４６は、第１偏光成分（Ｓ波）を有する光束により第１画像を生成する構成となっている。
【００９１】
第２光変調素子４７は、第２偏光成分（Ｐ波）を有する光束により第２画像を生成する構成となっている。また、第２光変調素子４７は、第１光変調素子４６の画像とは左右が反転した画像を形成するようになっている。
【００９２】
偏光制御光学系４８は、第１光変調素子に第１偏光成分の光束、第２光変調素子に第２偏光成分の光束を入射させる構成となっている（詳細は後述）。
【００９３】
画像合成光学系５は、第１光変調素子４６からの光束と、第２光変調素子４７からの光束とを合成して、投写光学系３に送る構成となっている。
【００９４】
（実施例３）
以下、前記した第４実施形態におけるプロジェクタ１に用いる具体的な光学系の実施例を、図８を参照しながら説明する。
【００９５】
この実施例３においては、第１光変調素子４６は、Ｓ波を透過する液晶素子により構成されている。また、第２光変調素子４７は、Ｐ波を透過する液晶素子により構成されている。
【００９６】
偏光制御光学系４８は、光束分岐用の偏光ビームスプリッタ４８１と、ミラー４８２とを備えている。
【００９７】
光束分岐用の偏光ビームスプリッタ４８１は、照明光学系１０からの光束を、偏光成分に対応して反射又は透過することにより、二つに分岐させる。これにより、第１の偏光成分（Ｓ波）からなる第１光束と第２の偏光成分（Ｐ波）からなる第２光束とを生成する構成となっている。
【００９８】
ミラー４８２は、偏光ビームスプリッタ４８１で反射された第２光束をさらに反射して、第１光変調素子４６に送る構成となっている。  
画像合成光学系５は、画像合成用の偏光ビームスプリッタ５１とミラー５２とを備えている。
【００９９】
画像合成用の偏光ビームスプリッタ５１は、ミラー５２を介してこの偏光ビームスプリッタ５１に送られた第１光束を反射し、第２光束を透過させることによって、両者を合成して、投写光学系３に送る構成となっている
（実施例３の動作）
ついで、実施例３の構成を備えたプロジェクタ１の動作を説明する。このプロジェクタ１においても、通常のプロジェクタと同様に、制御パネル１２を操作し、光源２をオンとする。すると、照明光学系１０を介して、光束分岐用偏光ビームプリッタ４８１に光束が照射される。
【０１００】
一方、映像信号入力手段６に映像信号が入力されると、画像処理回路７は、映像信号に基づいて、各光変調素子４６及び４７を駆動するための信号をそれぞれ生成して光変調素子ドライブ回路８に送る。光変調ドライブ回路８は、画像処理回路７からの駆動信号に従って各光変調素子４６及び４７を駆動する。
【０１０１】
照明光学系１０からの光束が、偏光ビームスプリッタ４８１に照射されると、偏光ビームスプリッタ４８１は、第１偏光成分（Ｓ波）を反射し、第２偏光成分（Ｐ波）を透過させることにより、第１光束と第２光束とを生成する。第１光束は、ミラー４８２で反射されて第２光変調素子４７に送られて変調される。このとき、第１光束は、Ｓ波の偏光状態を保つ。さらに、第１光束は、ミラー５２で反射されて、画像合成用の偏光ビームスプリッタ５１に送られる。さらに、第１光束は、偏光ビームスプリッタ５１で反射して、投写光学系３に送られる。
【０１０２】
一方、光束分岐用の偏光ビームスプリッタ４８１を透過した第２光束は、第２光変調素子４７で変調される。このとき、第２光束は、Ｐ波の偏光状態を保つ。さらに、第２光束は、画像合成用の偏光ビームスプリッタ５１に送られる。さらに、第２光束は、偏光ビームスプリッタ５１を透過して、投写光学系３に送られる。
【０１０３】
このようにして、偏光ビームスプリッタ５１は、それぞれ別に変調された第１光束と第２光束とを合波して、投写光学系３に送り、スクリーン１００に向けて出射することができる。
【０１０４】
第４実施形態のプロジェクタによれば、第１実施形態と同様に、第１偏光成分で形成される画像とは左右が反転した画像を、第２偏光成分により形成することができる。第４実施形態における他の構成及び利点は、第１実施形態と同様なので、説明を省略する。
【０１０５】
（スクリーンの実施形態）
以下、前記した実施形態のプロジェクタに好適なスクリーン１００の実施形態を、第５〜第１０実施形態として説明する。
【０１０６】
（第５実施形態）
（第５実施形態のスクリーンの概要）
まず、図９〜図１２を用いて、本実施形態に係る投影用スクリーン（以下単に「スクリーン」と略称することがある）１００の概要を説明する。このスクリーン１００は、前記した実施形態１〜４のいずれかに係るプロジェクタ１から投影された光束により画像を呈示しうるものである。
【０１０７】
プロジェクタ１から投影される光束には、前記したように、Ｐ偏光成分（以下「Ｐ波」）とＳ偏光成分（以下「Ｓ波」）とが含まれている。また、このプロジェクタ１では、Ｓ波によって正面側の画像１１１が形成され、Ｐ波によって背面側の画像１１２が形成されるようになっている（図９及び図１０参照）。プロジェクタ２からの光束をスクリーン１００に投写することにより、正面側の観察者Ａには正面側画像１１１を呈示し（図１１参照）、背面側の観察者Ｂには背面側画像１１２を呈示する（図１２参照）。このスクリーンの詳しい動作は後述する。
【０１０８】
（第５実施形態のスクリーンの構成）
本発明の第５実施形態に係る投影用スクリーン１００の構成を、図１３及び図１４に基づいて説明する。このスクリーン１００は、複数の偏光分離部１３０と複数の反射部１４０とを備えている。この明細書においては、複数の（つまりｍ個の）偏光分離部を総称するときに符号１３０を用いる。個別の偏光分離部については、第ｉ偏光分離部に対して符号１３ｉを付す。ここでｍ、ｉは自然数である。同様に、複数の（つまりｎ個の）反射部を総称するときに符号１４０を用い、第ｑ反射部に対して符号１４ｑを付す（ｎ，ｑ：自然数）。例えば第１偏光分離部には符号１３１を付す。
【０１０９】
偏光分離部１３０と反射部１４０とは、一つずつ交互に配置されている。すなわち、これらは、第１反射部１４１、第１偏光分離部１３１、第２反射部１４２、第２偏光分離部１３２、第３反射部１４３（以降同様）という順序で配置されている。
【０１１０】
各偏光分離部１３０は、この偏光分離部１３０への入射光における偏光成分のうち、一の偏光成分（本実施形態ではＰ波）を背面側（図１３中において左側）に透過させる（図１３における第３偏光分離部１３３参照）。さらに、各偏光分離部１３０は、他の偏光成分（本実施形態ではＳ波）を、隣接する反射部１４０に向けて反射させる構成となっている（図１３における第３偏光分離部１３３及び第３反射部１４３参照）。
【０１１１】
反射部１４０は、偏光分離部１３０で反射された他の偏光成分（Ｓ波）を、入射方向側（図１３において右側）に向けて反射させる構成となっている（図１３の第３反射部１４３を参照）。
【０１１２】
すなわち、このスクリーンでは、一の偏光成分によって生成した画像を、スクリーンの背面側（出射側）に表示し、他の偏光成分によって生成した画像を、スクリーンの正面側（入射側）に表示する構成となっている。
【０１１３】
さらに、このスクリーンでは、反射部１４０が、この反射部１４０への直接の入射光を、偏光分離部１３０へ向けて反射させる構成となっている（図１３における第１反射部１４１参照）。この反射は、Ｐ波についてもＳ波についても同様に行われる。
【０１１４】
さらに、偏光分離部１３０は、反射部１４０から偏光分離部１３０に向けて反射された反射光に含まれる偏光成分のうち、一の偏光成分（Ｐ波）を透過させ、かつ、他の偏光成分（Ｓ波）を入射方向側（図１３において右側）に向けて反射させる構成となっている（図１３における第１偏光分離部３１参照）。
【０１１５】
すなわち、この実施形態では、画像を構成する光束が反射部１４０に直接入射した場合であっても、他の偏光成分（Ｓ波）によって生成した画像を、スクリーン１の正面側に表示することができる。一方、光束の一部が偏光分離部１３０に入射すれば、前記したとおり、一の偏光成分（Ｐ波）により生成した画像を、スクリーンの背面側に表示することができる。
【０１１６】
さらに、本実施形態の第２反射部１４２（図１３参照）は、第１反射部１４１で反射され、かつ、第１偏光分離部１３１を透過した、一の偏光成分（Ｐ波）を、出射方向側（図１３において左側）にさらに反射させる構成となっている。つまり、第２反射部１４２は、その裏面側においてＰ波を反射させて、裏面側に光束を出射することができる。
【０１１７】
つまり、この実施形態のスクリーン１００は、画像を構成する光束が反射部１４０のみに入射した場合であっても、偏光分離部１３０を介して、隣接する別の反射部１４１により、Ｐ波を裏面側に送り出すことができる。これにより、本実施形態のスクリーン１００によれば、その両面側において、画像をそれぞれ呈示できる構成になっている。
【０１１８】
本実施形態における複数の偏光分離部１３０及び複数の反射部１４０は、いずれも一方向（図１４において左右方向）に延長された長尺状とされている（図１４参照）。さらに、これらは、一方向に交差する他方向（図１４において上下方向）において交互に配置されている。ここで、一方向とは、入射光の入射方向に交差する方向（例えばほぼ直交する方向）とされている。
【０１１９】
本実施形態における複数の偏光分離部１３０は、偏光ビームスプリッタ（ＰＢＳ）により構成されている。この偏光分離部１３０は、傾斜面１３０ａをいずれも有している。この傾斜面１３０ａは、入射光の偏光成分のうち、一の偏光成分（Ｐ波）を透過させ、他の偏光成分（Ｓ波）を反射させるものである。
【０１２０】
複数の反射部１４０としては、全反射ミラーが用いられている。この反射部１４０は、反射面１４０ａをいずれも有している。反射面１４０ａは、入射光、又は、偏光分離部１３０からの光を反射させるものである。また、反射面１４０ａは、その裏面側においても反射作用を有している。
【０１２１】
偏光分離部１３０の傾斜面１３０ａどうしは実質的に平行とされている（図１３参照）。同様に、反射面１４０ａどうしは実質的に平行とされている（図１３参照）。さらに、反射面１４０ａと傾斜面１３０ａとは、その横断面における延長方向が交差するように配置されている。本実施形態では、この延長方向における仮想的な交差角αがほぼ９０°とされている（図１３参照）。
【０１２２】
（第５実施形態のスクリーンの作用）
次に、本実施形態に係るスクリーンの作用を説明する。前提として、図９〜図１２に示されているようなプロジェクタ１により、画像がスクリーン１００に投影されているとする。ここで、このプロジェクタ１から出射される光束は、偏光成分としてＳ波とＰ波とを有している。また、このプロジェクタ１では、Ｓ波によって一の画像（正面用画像）が形成され、Ｐ波によって他の画像（背面用画像）が形成されている。このようなプロジェクタの構成例は、前記した実施形態１〜４において説明されている。
【０１２３】
この場合における各偏光成分の振る舞いを図１５に基づいて説明する。なお、以下の説明においては、いずれかの偏光分離部１３０あるいは反射部１４０に光束が入射したと仮定して説明しているが、どの偏光分離部１３０あるいは反射部１４０に光束が入射した場合も基本的には同様の作用を発揮することが可能である。したがって、以下の説明において第ｉ偏光分離部（ｉ：自然数）や第ｊ反射部（ｊ：自然数）と称したときの、ｉ，ｊの数字は、あくまで一例である。また、それぞれの光束は、偏光成分としてＰ波とＳ波とを備えているものとする。
【０１２４】
（Ｐ波の振る舞い）
第１反射部１４１に入射した光束中のＰ波（図１５において符号Ｐ１）は、反射部１４１により、第１偏光分離部１３１に反射される。さらに、このＰ波Ｐ１は、第１偏光分離部１３１を透過し、隣接する第２反射部１４２の反射面１４０ａの裏面により、裏面側（図１５において左側）に出射させられる。
【０１２５】
また、第１偏光分離部１３１に入射した光束中のＰ波（図１５において符号Ｐ２）は、この第１偏光分離部１３１を透過する。
【０１２６】
このように、この実施形態では、入射の際に上側にあった光束（符号Ｐ１参照）が、出射側では下側になる（符号Ｐ１と符号Ｐ２との位置関係を参照）。すなわち、上下方向においては、光束の位置関係が逆転する。ここで、逆転する範囲は、一つの反射部１４０と、これに隣接する偏光分離部１３０との繰り返し単位（すなわちピッチ）に限られる（図１５における符号Ｌ１）。したがって、このピッチＬ１を、プロジェクタ１からの光学像における一画素の範囲程度か、あるいはそれ以下とすることにより、画質の低下を防ぐことができる。もちろん、ある程度のボケが許容されるのであれば、一画素の範囲よりもピッチＬ１を広げることができる。この場合、ピッチＬ１をどこまで広げるかは、許容されるボケ量によって決まる。
【０１２７】
（Ｓ波の振る舞い）
第２反射部１４２に入射した光束中のＳ波（図１５において符号Ｓ１）は、第２反射部１４２により反射されて、隣接する第２偏光分離部１３２に入射する。このＳ波Ｓ１は、さらに、第２偏光分離部１３２により反射されて、入射方向側（図１５において右側）に出射させられる。
【０１２８】
第２偏光分離部１３２に入射した光束中のＳ波（図１５において符号Ｓ２）は、第２偏光分離部１３２により反射されて、隣接する第２反射部１４２に入射する。このＳ波Ｓ２は、さらに、第２反射部１４２により反射されて、入射方向側（図１５において右側）に出射させられる。
【０１２９】
このようにして、本実施形態のスクリーン１００によれば、構成が簡易で、かつ、両面での映像呈示が可能なスクリーンを提供することができる。
【０１３０】
また、特許文献１記載の技術では、反射型スクリーンに液晶を用いているために回折層が必要になっていた。しかしながら、本実施形態のスクリーン１００によれば、このような回折層を不要にできる。よって、部品点数の増加を抑え、スクリーンの小型化に寄与することができる。
【０１３１】
さらに、特許文献１の技術では、回折層を用いたために、スクリーン上の輝度ムラを生じやすくなっていた。これに対して、本実施形態のスクリーン１では、回折層が不要になるので、このような問題を回避し、画像の視認性を向上させることができる。
【０１３２】
また、特許文献１の技術では、液晶液体を挟み込むための厚板ガラスの組み付けが実際上は必要になる。このため、スクリーンの大型化を招きやすかった。これに対して、本実施形態のスクリーン１では、液晶を用いる必要がないので、このような厚板ガラスの組み付けも不要となる。この点からも、本実施形態のスクリーン１では、スクリーンの小型化あるいは軽量化が容易になるという利点がある。
【０１３３】
また、特許文献１記載の技術では、視野角を広げるために、拡散板を使用する必要がある。これに対して、本実施形態のスクリーン１００によれば、回折層を使用していないために、拡散板の設置を省略することができる。このことからも、部品点数の増加を抑え、スクリーンの小型化に寄与することができる。
【０１３４】
なお、本実施形態において視野角を拡大するためには、反射部１４０における反射面１４０ａの表面及び／又は裏面を拡散反射面とすることで対応できる。したがって、本実施形態のスクリーンでは、視野角の拡大が容易であるという利点がある。
【０１３５】
（第６実施形態の構成）
つぎに、本発明の第６実施形態に係るスクリーン１００の構成を、図１６及び図１７を参照しながら説明する。この第６実施形態の説明においては、前記した第５実施形態のスクリーンと基本的に共通する構成要素については、同一の符号を付すことにより、説明の重複を避ける。
【０１３６】
第５実施形態のスクリーンでは、各偏光分離部１３０の前方に、集光用レンズ１５０が付されている。集光用レンズについても、個別の集光用レンズに符号１５ｋ（ｋ：自然数）を付し、その全体を集合的に現す場合に符号１５０を付す。したがって、第１集光用レンズには符号１５１を付す。
【０１３７】
具体的には、図１６に示されるように、第１偏光分離部１３１の前方に第１集光用レンズ１５１、第２偏光分離部１３２の前方の第２集光用レンズ１５２、第３偏光分離部１３３の前方の第３集光用レンズ１５３（以下同様）のように配置されている。もちろん、すべての偏光分離部１３０の前方に集光用レンズ１５０を配置することが必要ということではない。
【０１３８】
各集光用レンズ１５０は、偏光分離部１３０や反射部１４０と同様に、一方向に延長された形状となっている（図１７参照）。各集光用レンズ１５０は、偏光分離部１３０や反射部１４０と平行とされている。
【０１３９】
本実施形態の集光用レンズ１５０は、プロジェクタ１からの入射光を偏光分離部１３０に集光する構成となっている。
【０１４０】
（第６実施形態におけるスクリーンの作用）
以下、第６実施形態に係るスクリーンの作用を、図１８〜図２５を主に参照しながら説明する。
【０１４１】
プロジェクタ１から集光用レンズ１５０に照射された光束は、集光用レンズ１５０によって、偏光分離部１３０に集光される（図１８参照）。なお、図１８は、任意の一組の偏光分離部１３０、反射部１４０及び集光用レンズ１５０を示している。光束における一の偏光成分（Ｐ波）は、偏光分離部１３０を透過して背面側に向けて出射される。一方、光束における他の偏光成分（Ｓ波）は、偏光分離部１３０により、隣接する反射部１４０に向けて反射され、さらにこの反射部１４０で反射されて、入射方向側（正面側）に戻される。
【０１４２】
（Ｓ波の振る舞い）
ここで、集光用レンズ１５０に入射した光束のうちのＳ波について、さらに詳しく説明する。この光束は、前記したように、レンズ１５０によって集光されて、偏光分離部１３０に照射される。光束中のＳ波は、偏光分離部１３０によって反射され、隣接する反射部１４０に送られる（図１９）。
【０１４３】
ついで、Ｓ波は、反射部１４０で反射され、入射方向側（図２０において右側）に戻される。これにより、Ｓ波で構成した画像を、正面側（入射方向側）に向けて呈示することができる。
【０１４４】
また、このとき、反射したＳ波は、反射部１４０の反射面１４０ａによって拡散して反射されるので、ある程度の視野角を確保することが容易である。
【０１４５】
ここで、本実施形態では、反射部４で反射したＳ波が、集光用レンズ１５０によって再度集光されることになる（図２１参照）。すると、レンズ１５０の近傍では、死角の領域を生じる。しかしながら、集光用レンズ１５０と偏光分離部１３０との距離が小さければ、死角の領域は、十分に狭いものとなる。例えば、通常の設計条件を考慮すると、死角が存在するのは、レンズ１５０からせいぜい数センチメートルの範囲となる。実用上は、レンズ１５０から数十センチメートル以上離れた位置からスクリーンを見るので、このような死角が生成されることは、問題にはならない。
【０１４６】
また、この第６実施形態のスクリーンによれば、偏光分離部１３０を透過したＰ波により、スクリーンの背面側（図１８において左側）に、Ｐ波で生成される画像を呈示することができる。
【０１４７】
（スクリーンへの斜め入射の場合）
つぎに、図２２〜図２４を参照しながら、スクリーン１００に対して斜め下方向から光束が入射された場合の作用を説明する。この場合、入射角度によっては、レンズ１５０で集光された光束が、反射部１４０に入射する（図２２参照）。反射部１４０は、偏光にかかわらず光束を反射するので、光束に含まれるＰ波もＳ波も、隣接する偏光分離部１３０に向けて反射される（図２３及び図２４参照）。
【０１４８】
Ｐ波（図２３参照）については、反射部１４０で反射された後、偏光分離部１３０を透過し、反対側において隣接する別の反射部１４０によって背面側に反射される。例えば、第ｉ番目の反射部１４ｉで反射されたＰ波は、偏光分離部１３０を透過した後、第ｉ＋１番目の反射部１４ｉ＋１に達する。Ｐ波は、さらに、この反射部１４ｉ＋１の反射面１４ａの裏面で反射され、背面側（図２３において左側）に向けて送り出される。ここで、Ｐ波は、反射面１４０ａで反射された後に拡散されるので、ある程度の視野角を容易に確保することができる。
【０１４９】
Ｓ波（図２４参照）については、反射部１４０で反射された後、偏光分離部１３０によりさらに反射されて、入射方向側（図２４において右側）に戻される。その後、Ｓ波は、前記と同様に、レンズ１５０によってさらに集光されて、入射方向側に送り出される（図２５参照）。この場合、レンズ１５０の近傍に死角を生じる。しかしながら、この死角は、前記した理由により、正面側画像の視認性を実質的には損なわない。
【０１５０】
したがって、第６実施形態のスクリーンにおいて、斜め下から光束が入射した場合であっても、正面側と背面側とに、それぞれ、偏光成分に応じた画像を呈示することができる。
【０１５１】
第６実施形態のスクリーンにおける他の構成及び利点は、第５実施形態と基本的に同様なので、これ以上詳細な説明は省略する。
【０１５２】
（第７実施形態）
つぎに、第７実施形態に係るスクリーン１００の構成を、図２６及び図２７を主に参照しながら説明する。この第７実施形態の説明においては、前記した第６実施形態と基本的に共通する構成要素については、同一の符号を付すことにより、説明の重複を避ける。
【０１５３】
この第７実施形態のスクリーン１００は、スクリーン１００の上側に、プロジェクタ１からの光束が傾斜して入射する場合に対応したものである（図２６参照）。このスクリーン１００では、入射する光束の角度（想定される角度）に応じて、偏光分離部１３０や反射部１４０の構成が変更されている。
【０１５４】
以下、図２７を参照しながら、さらに詳しく説明する。第７実施形態のスクリーン１００では、スクリーンの上側（例えばスクリーン１００の中央よりも上側）における各偏光分離部１３０の傾斜面１３０ａの角度が、前記した各実施形態のものよりも緩くなっている。さらに、スクリーン１００の上側（例えばスクリーン１００の中央よりも上側）における偏光分離部１３０の幅Ｗ１（図２７参照）は、反射部１４０の幅Ｗ２よりも広くなっている。ここで、幅Ｗ１：幅Ｗ２の比を、スクリーン１００における偏光分離部１３０の位置に応じて変化させることも可能である。例えば、Ｗ１／Ｗ２の値を、スクリーン１００の上側に行くほど徐々に大きくすることも可能である。
【０１５５】
つぎに、本実施形態のスクリーン１００に入射した光束における各偏光成分の振る舞いを、図２８〜図３０に基づいて説明する。
【０１５６】
（Ｐ波の振る舞い）
レンズ１５０に入射したＰ波は、レンズ１５０で集光されて、偏光分離部１３０に到達する（図２８参照）。さらに、このＰ波は、偏光分離部１３０を透過して、スクリーン１００の背面側（図２８において左側）に進む。これにより、本実施形態のスクリーン１００では、その背面側に、Ｐ波によって構成される画像を呈示することができる。
【０１５７】
（Ｓ波の振る舞い）
レンズ１５０に入射したＳ波は、Ｐ波と同様に集光されて、偏光分離部１３０に到達する。さらに、このＳ波は、偏光分離部１３０で反射して、隣接する反射部１４０に送られる（図２９参照）。さらに、Ｓ波は、反射部１４０で反射して、入射方向側（図２９において右側）に送られる。前記したとおり、Ｓ波は、レンズ１５０により再び集光されることにより、レンズ近傍に死角を生じる（図３０参照）。しかし、この死角は、ごく狭い領域に存在するので、実用上の問題は生じない。
【０１５８】
よって、この実施形態のスクリーンによれば、その正面側において、Ｓ波によって構成される画像を呈示することができる。
【０１５９】
第７実施形態のスクリーンにおける他の構成及び利点は、第６実施形態と基本的に同様なので、これ以上詳細な説明は省略する。
【０１６０】
（第８実施形態）
つぎに、第８実施形態に係るスクリーン１００の構成を、図３１を主に参照しながら説明する。この第８実施形態の説明においては、前記した第６実施形態と基本的に共通する構成要素については、同一の符号を付すことにより、説明の重複を避ける。
【０１６１】
この第８実施形態のスクリーン１００は、さらに、フレネルレンズ１６０を備えている。このフレネルレンズ１６０は、集光用レンズ１５０よりも入射方向側（図３１において右側）にが配置されている。
【０１６２】
フレネルレンズ１６０は、その一側の面（図３１において左側の面）に、一方向（集光用レンズ１５０と平行な方向）に延長された複数の傾斜面を備えている。したがって、このフレネルレンズ１６０は、いわゆるリニアフレネルレンズと呼ばれるタイプのものである。各傾斜面についても、第ｒ番目の傾斜面について符号１６ｒ（ｒ：自然数）を付す。ｒの最大値は、プロジェクタ１の画角や配置場所などに応じて適宜設定される。したがって、第１番目の傾斜面には符号１６１を付す。この例では、第４傾斜面１６４までが用いられている。
【０１６３】
このフレネルレンズ１６０においては、傾斜面１６ｒの傾斜角度が、入射光の角度に応じて設定されている（図３１参照）。これにより、プロジェクタ１からスクリーン１に入射した光束を、その入射角度に応じて屈折させて、ほぼ平行光とすることができる。ほぼ平行光となった光束は、レンズ１５０により集光されて、偏光分離部１３０に照射される（図３２参照）。
【０１６４】
（Ｐ波の振る舞い）
光束のうちのＰ波は、偏光分離部１３０を透過して、背面側（図３２において左側）に出射する。これにより、このスクリーン１００によれば、その背面側において画像を呈示することができる。
【０１６５】
前記した各実施形態において、レンズ１５０への入射光が傾斜している場合には、スクリーン１００から背面側に出射するＰ波の方向も傾斜するので、視野角の偏りが出るおそれがある。例えば、下側から見たときの視野角が上側から見たときよりも狭くなるおそれがある。これに対して、本実施形態のスクリーンによれば、フレネルレンズ１６０を設置したことにより、視野角の偏りを軽減あるいは防止することができる。
【０１６６】
（Ｓ波の振る舞い）
偏光分離部１３０に照射された光束のうち、Ｓ波は、偏光分離部１３０により反射され、さらに、隣接する反射部１４０により反射されて、入射方向側（図３３において右側）に戻される。さらに、このＳ波は、集光用レンズ１５０により再び集光され、さらに、フレネルレンズ１６０を通過して、入射方向側に進む。
【０１６７】
この実施形態では、フレネルレンズ１６０及び集光用レンズ１５０の近傍において死角領域を生じることになる（図３４参照）。しかしながら、フレネルレンズ１６０と集光用レンズ１５０とを接近させておけば、死角領域を、実用上無視できる程度に十分狭くすることができる。
【０１６８】
したがって、本実施形態のスクリーンでは、Ｓ波により、正面側の画像を呈示することができる。
【０１６９】
第８実施形態のスクリーンにおける他の構成及び利点は、第６実施形態と基本的に同様なので、これ以上詳細な説明は省略する。
【０１７０】
（第９実施形態）
つぎに、第９実施形態に係るスクリーン１００の構成を、図３５を主に参照しながら説明する。この第９実施形態の説明においては、前記した第６実施形態と基本的に共通する構成要素については、同一の符号を付すことにより、説明の重複を避ける。
【０１７１】
前記した各実施形態では、反射部１４０としてミラーが用いられていた。これに対して、第９実施形態のスクリーン１では、反射部１４０として偏光ビームスプリッタが用いられている。したがって、この実施形態では、反射部１４０も偏光分離部１３０もいずれも偏光ビームスプリッタにより構成されている（図３５参照）。
【０１７２】
また、第９実施形態のスクリーン１００では、各偏光分離部１３０と各反射部１４０の入射側（図３５において右側）に、それぞれ、集光用レンズ１５０が配置されている。
【０１７３】
このスクリーン１００においては、スクリーン１００に照射された光束は、各集光用レンズ１５０により集光されて、偏光分離部１３０及び反射部１４０にそれぞれ入射される（図３６参照）。以下、偏光成分ごとにその振る舞いを説明する。
【０１７４】
（Ｐ波の振る舞い）
Ｐ波は、偏光分離部１３０及び反射部１４０をいずれも透過する（図３７参照）。したがって、透過したＰ波によって、スクリーン１００の背面側において画像を呈示することができる。
【０１７５】
（Ｓ波の振る舞い）
Ｓ波は、偏光分離部１３０及び反射部１４０で反射される（図３８参照）。偏光分離部１３０で反射されたＳ波は、反射部１４０で再び反射されて、入射方向側（図３９において右側）に戻される。反射部１４０で反射されたＳ波は、偏光分離部１３０で再び反射されて、入射方向側に戻される。
【０１７６】
したがって、反射されたＳ波によって、スクリーン１００の正面側において画像を呈示することができる。
【０１７７】
本実施形態のスクリーン１は、実質的に偏光ビームスプリッタのみで構成することができるので、構成を一層簡易とすることができるという利点がある。
【０１７８】
第９実施形態のスクリーンにおける他の構成及び利点は、第６実施形態と基本的に同様なので、これ以上詳細な説明は省略する。
【０１７９】
（第１０実施形態）
つぎに、本発明の第１０実施形態に係るスクリーン１００の構成を、図４０を主に参照しながら説明する。この第１０実施形態の説明においては、前記した第６実施形態と基本的に共通する構成要素については、同一の符号を付すことにより、説明の重複を避ける。
【０１８０】
第１０実施形態のスクリーン１は、スリット部材１７０を備えている。このスリット部材１７０には、第１〜第ｓのスリット１７ｐ（ｓ：任意の自然数；ｐ：１以上ｓ以下の任意の自然数）が設けられている。図４０の例では、第１〜第３のスリット１７１〜１７３が設けられている。各スリット１７ｐは、偏光分離部１３０の背面側に形成されている。また、この実施形態における各レンズ１５０は、各スリット１７ｐに焦点が位置するように、レンズ１５０の位置や屈折力が調整されている。
【０１８１】
第６実施形態のスクリーン１００においては、レンズ１５０で集光された光束が各スリット１７ｐを通過するので、背面側に呈示されるべき画像がスリット部材１７０により遮られることはない。また、このスクリーンでは、外部からのノイズ光の侵入をスリット部材１７０により遮断することができるので、背面側の画像のコントラストが低下することを防止することができる。すなわち、本実施形態のスクリーン１００によれば、高いコントラストの背面側画像を呈示することができる。
【０１８２】
第１０実施形態のスクリーン１における他の構成及び利点は、第６実施形態と基本的に同様なので、これ以上詳細な説明は省略する。
【０１８３】
なお、本発明は、上記した実施例に限定されるものではなく、本発明の要旨を逸脱しない範囲内において種々変更を加え得るものである。
【図面の簡単な説明】
【０１８４】
【図１】本発明の第１実施形態に係るプロジェクタの概略的な斜視図である。
【図２】図１のプロジェクタにおける機能ブロック図である。
【図３】本発明の第１実施形態における画像生成光学系の具体的な実施例を示す説明図である。
【図４】本発明の第２実施形態における画像生成光学系の具体的な実施例を示す説明図である。
【図５】本発明の第３実施形態に係るプロジェクタにおける機能ブロック図である。
【図６】図５のプロジェクタにおいて用いるカラーホイールの一例を示す説明図である。
【図７】本発明の第４実施形態に係るプロジェクタにおける機能ブロック図である。
【図８】本発明の第４実施形態における画像生成光学系の具体的な実施例を示す説明図である。
【図９】本発明のプロジェクタのために好適な投影用スクリーンの一例を示す、概略的な説明図である。
【図１０】図９のスクリーンを側方から見た状態の図である。
【図１１】図９のスクリーンの正面側に、Ｓ波で構成された画像が呈示されている状態を示す説明図である。
【図１２】図９のスクリーンの背面側に、Ｐ波で構成された画像が呈示されている状態を示す説明図である。
【図１３】図９のスクリーンの要部における側面図である。
【図１４】図９のスクリーンの要部における正面図である。
【図１５】図１３を拡大した状態において、各偏光成分の振る舞いを説明するための説明図である。
【図１６】他の例における投影用スクリーンの要部の側面図である。
【図１７】図１６の正面図である。
【図１８】図１６のスクリーンにおける各偏光成分の振る舞いを説明するための説明図である。
【図１９】図１６のスクリーンにおけるＳ波の振る舞いを説明するための説明図である。
【図２０】図１６のスクリーンによって反射したＳ波の振る舞いを説明するための説明図である。
【図２１】図１６のスクリーンによって反射したＳ波の振る舞いを説明するための説明図である。
【図２２】図１６のスクリーンに対して斜め下方向から入射した光束の振る舞いを説明するための説明図である。
【図２３】図１６のスクリーンに対して斜め下方向から入射した光束（Ｐ波）の振る舞いを説明するための説明図である。
【図２４】図１６のスクリーンに対して斜め下方向から入射した光束（Ｓ波）の振る舞いを説明するための説明図である。
【図２５】図１６のスクリーンに対して斜め下方向から入射した光束（Ｓ波）の振る舞いを説明するための説明図である。
【図２６】スクリーンに対して斜め下方向から光束が入射する状態を説明するための説明図である。
【図２７】さらに他の例におけるスクリーンの構成を説明するための、要部の側面図であって、図２６中のＺ部分の拡大図である。
【図２８】図２７のスクリーンに入射した光束（Ｐ波）の振る舞いを説明するための説明図である。
【図２９】図２７のスクリーンに入射した光束（Ｓ波）の振る舞いを説明するための説明図である。
【図３０】図２７のスクリーンに入射した光束（Ｓ波）の振る舞いを説明するための説明図である。
【図３１】さらに他の例におけるスクリーンの構成を説明するための、要部の側面図である。
【図３２】図３１のスクリーンに入射した光束（Ｐ波）の振る舞いを説明するための説明図である。
【図３３】図３１のスクリーンに入射した光束（Ｓ波）の振る舞いを説明するための説明図である。
【図３４】図３１のスクリーンに入射した光束（Ｓ波）の振る舞いを説明するための説明図である。
【図３５】さらに他の例におけるスクリーンの構成を説明するための、要部の側面図である。
【図３６】図３５のスクリーンに入射した光束の振る舞いを説明するための説明図である。
【図３７】図３５のスクリーンに入射した光束（Ｐ波）の振る舞いを説明するための説明図である。
【図３８】図３５のスクリーンに入射した光束（Ｓ波）の振る舞いを説明するための説明図である。
【図３９】図３５のスクリーンに入射した光束（Ｓ波）の振る舞いを説明するための説明図である。
【図４０】さらに他の例におけるスクリーンの構成を説明するための、要部の側面図である。
【符号の説明】
【０１８５】
１  プロジェクタ
２  光源
３  投写光学系
４  画像生成光学系
４１  光変調素子（液晶素子）
４２  偏光制御光学系
４２１  ビームスプリッタ
４２２  偏光制御用の偏光ビームスプリッタ
４２３  １／４波長板
４２４  光束分岐用の偏光ビームスプリッタ
４２５  １／２波長板
４２６  偏光制御用の偏光ビームスプリッタ
４２７  １／４波長板
４３  画像反転光学系
４３１  ミラー
４４  カラーホイール
４４１  第１偏光生成部
４４２  第２偏光生成部
４５  光変調素子（ＤＭＤ素子）
４６  第１光変調素子
４７  第２光変調素子
４８  偏光制御光学系
４８１  光束分岐用の偏光ビームスプリッタ
４８２  ミラー
５  画像合成光学系
５１  画像合成用の偏光ビームスプリッタ
５２  ミラー
６  映像信号入力手段
７  画像処理回路
８  光変調素子ドライブ回路
９  光源制御回路
１０  照明光学系
１１  ＣＰＵ
１２  制御パネル
１３  カラーホイールドライブ回路
【図１】
2008309881.tif 000003
【図２】
2008309881.tif 000004
【図３】
2008309881.tif 000005
【図４】
2008309881.tif 000006
【図５】
2008309881.tif 000007
【図６】
2008309881.tif 000008
【図７】
2008309881.tif 000009
【図８】
2008309881.tif 000010
【図９】
2008309881.tif 000011
【図１０】
2008309881.tif 000012
【図１１】
2008309881.tif 000013
【図１２】
2008309881.tif 000014
【図１３】
2008309881.tif 000015
【図１４】
2008309881.tif 000016
【図１５】
2008309881.tif 000017
【図１６】
2008309881.tif 000018
【図１７】
2008309881.tif 000019
【図１８】
2008309881.tif 000020
【図１９】
2008309881.tif 000021
【図２０】
2008309881.tif 000022
【図２１】
2008309881.tif 000023
【図２２】
2008309881.tif 000024
【図２３】
2008309881.tif 000025
【図２４】
2008309881.tif 000026
【図２５】
2008309881.tif 000027
【図２６】
2008309881.tif 000028
【図２７】
2008309881.tif 000029
【図２８】
2008309881.tif 000030
【図２９】
2008309881.tif 000031
【図３０】
2008309881.tif 000032
【図３１】
2008309881.tif 000033
【図３２】
2008309881.tif 000034
【図３３】
2008309881.tif 000035
【図３４】
2008309881.tif 000036
【図３５】
2008309881.tif 000037
【図３６】
2008309881.tif 000038
【図３７】
2008309881.tif 000039
【図３８】
2008309881.tif 000040
【図３９】
2008309881.tif 000041
【図４０】
2008309881.tif 000042